(57)【要約】      （修正有）【課題】直接電源、電池充電器およびイヤホン装置など通常何本もの電線で接続され、非常に絡み易く使用に不都合な電線の扱いを容易にすべく、主として閉鎖構造を含む導電可能な閉鎖装置を提案する。【解決手段】主に閉鎖構造を含み、前記閉鎖構造は第一対応体と第二対応体を含み、前記二つの対応体はそれぞれ噛合せ構造を具備し、少なくとも一つの対応体に少なくとも一つの配線を設け、こうした配線設計によって過多な電線による絡み合い現象を防止する。【選択図】図１
0003135240.tif 000002
【実用新案登録請求の範囲】
【請求項１】
閉鎖構造を含む導電可能な閉鎖装置で、前記閉鎖構造は第一対応体と第二対応体を含み、前記二つの対応体はそれぞれ噛合せ構造を具備し、少なくとも一つの対応体に少なくとも一つの配線を設けることを特徴とする導電可能な閉鎖装置。
【請求項２】
前記各対応体にその中へ伸ばした配線を含むことを特徴とする請求項1に記載する導電可能な閉鎖装置。
【請求項３】
前記閉鎖構造がファスナー、マジックテープ（登録商標）、ボタン装置等の構造であることを特徴とする請求項1に記載する導電可能な閉鎖装置。
【請求項４】
少なくとも一つの前記対応体に少なくとも二本の配線を取り付けることを特徴とする請求項1に記載する導電可能な閉鎖装置。
【請求項５】
更に少なくとも一つのコネクターを含み、前記コネクターは少なくとも一本の配線とオンとなることを特徴する請求項1に記載する導電可能な閉鎖装置。
【請求項６】
更に少なくとも二つののコネクターを含み、且つ前記各コネクターが対応する配線とオンになることを特徴とする請求項２に記載する導電可能な閉鎖装置。
【請求項７】
前記各対応体の一端にそれぞれコネクターを取付け、且つ前記各コネクターが対応する配線と導通することを特徴とする請求項２に記載する導電可能な閉鎖装置。
【請求項８】
、
前記各対応体の少なくとも一端が結合することを特徴とする請求項７に記載する導電可能な閉鎖装置。
【請求項９】
前記少なくとも一本の配線の表面はポリテトラフルオロエチレン（ＰＴＦＥ）、ポリウレタン若しくは被覆されたカーボンファイバーや光ファイバー等その他適当な絶縁素材で被覆されることを特徴とする請求項１に記載する導電可能な閉鎖装置。
【請求項１０】
前記各対応体の少なくとも一端が結合し、前記各対応体の少なくとも一つのストッパー部にはそれぞれ二つのコネクターを取付けて、前記各コネクターが対応する配線とオンになることを特徴とする請求項２に記載する導電可能な閉鎖装置。
【請求項１１】
主として信号を提供する信号発生装置と、電子装置と、前記電子装置と接続すると共に装備に取付ける導電可能な閉鎖装置を含む信号発生システムであって、前記導電可能な閉鎖装置は主に閉鎖構造を含み、前記閉鎖構造は第一対応体と第二対応体を含み、前記二つの対応体にはそれぞれ噛合せ構造を設け、少なくとも一つの対応体には少なくとも一本の配線を取り付け、前記配線は前記信号発生装置と接続することを特徴とする信号発生システム。
【請求項１２】
更に信号受信用の受信装置を含み、前記受信装置は前記少なくとも一本の配線と接続することを特徴とする請求項１１に記載する信号発生システム。
【請求項１３】
前記信号受信装置はディスプレー、充電器、音声プレーヤー又は映像プレーヤーであることを特徴とする請求項１２に記載する信号発生システム。
【請求項１４】
前記装備は衣服又はデイパックであることを特徴とする請求項１１に記載する信号発生システム。
【請求項１５】
前記信号発生装置は電源であることを特徴とする請求項１１に記載する信号発生システム。
【請求項１６】
前記信号発生装置は音声プレーヤー又は映像プレーヤーであって、更に前記少なくとも一本の配線と接続するスピーカーを含むことを特徴とする請求項１１に記載する信号発生システム。
【請求項１７】
前記各対応体にその中へ伸ばした配線を含むことを特徴とする請求項１１に記載する信号発生システム。
【請求項１８】
前記信号発生装置は音声プレーヤー又は映像プレーヤーであって、更に前記少なくとも一本の配線と接続するスピーカーを含むことを特徴とする請求項１７に記載する信号発生システム。
【請求項１９】
更に信号受信用の受信装置を含み、前記受信装置は前記少なくとも一本の配線と接続し、且つ前記受信装置はディスプレー、充電器、音声プレーヤー又は映像プレーヤーであるこを特徴とする請求項１７に記載する信号発生システム。
【請求項２０】
前記閉鎖構造がファスナー、マジックテープ（登録商標）、ボタン装置等の構造であることを特徴とする請求項１１に記載する信号発生システム。
【考案の詳細な説明】
【技術分野】
【０００１】
本考案は導電可能な閉鎖装置に関し、特に少なくとも一本の配線を具備した閉鎖装置に関する。
【背景技術】
【０００２】
音声プレーヤー、映像プレーヤー、携帯情報端末（ＰＤＡ）、携帯電話、デジタルカメラ及びゲーム機等の携帯型の電子装置は現在相当な人気を博するようになっている。こうした装置の使用には電力が必要であり、その電力ソースは一般の充電池又は直接の電源である。このほかにユーザーにはイヤホンやヘッドホン装置で音声を聞くというニーズがある。然しながら、直接電源、電池充電器およびイヤホン装置は通常何本もの電線で接続されており、こうした電線は非常に絡み易く使用に不都合である。
【０００３】
本考案人は上記の使用する上での多くの不便に対して、根気強く絶えず改善を図るという目的に基き、積極的に不断の研究改良を重ねると共に、長年の努力とテストを経てついに本考案を開発設計したものである。
【考案の開示】
【考案が解決しようとする課題】
【０００４】
本考案の主たる目的は上記の課題を解決して導電可能な閉鎖装置を提供することにある。
【課題を解決するための手段】
【０００５】
上記の目的を達成するために、本考案は主に閉鎖構造を含み、前記閉鎖構造は第一対応体と第二対応体を含み、前記二つの対応体はそれぞれ噛合せ構造を具備し、少なくとも一つの対応体に少なくとも一つの配線を設け、こうした配線設計によって過多な電線による絡み合い現象を防止する。
【０００６】
本考案の上記及びその他の目的と長所については、下記の実施例を用いて図面を添付して詳細な説明を加えることにより深い理解が得られる。
【０００７】
当然のことながら、本考案は別件又は別件の処理において多少の差異を許容するものとするが、用いた実施例は本明細書で詳しい説明をすると共に、図面の中でその構造を明らかに示すこととする。
【考案を実施するための最良の形態】
【０００８】
図１で示すように、本考案で述べる導電可能な閉鎖装置１００は各種の異なった形態で実施することができ、本考案の使用状況及び各長所につき審査員のの理解に資するために、以下ファスナー形態の実施例でのみ本考案を説明することとする。
【０００９】
前記導電可能な閉鎖装置１００は主に二つの対応体１０２、１０４を含み、そのうち、各対応体１０２、１０４はそれぞれ噛合せ装置１０６を含む。ファスナーの実施状態では前記噛合せ装置１０６は歯の形をした構造となっており、二つの対応体１０２、１０４上に取付けたスライド１０８は二つの対応体１０２、１０４上に取付けた噛合せ装置１０６を結合させたり外したりするためのもので、こうした動作によって導電可能な閉鎖装置１００を閉じたり開けたりする目的を果たす。
【００１０】
各対応体１０２、１０４はそれぞれ上ストッパー部１１０及び前記上ストッパー部１１０に構造が類似した一個の下ストッパー部１１２を含む。前記下ストッパー部１１２は一体成型方式で実施でき、二つの対応体１０２、１０４の底部を結合させる。本考案の各実施例において、ファスナーに結合する形態の他にもまた衣服や袋にもその閉鎖構造を実施することができる。
【００１１】
本考案の各実施例において、配線１２０はそれぞれ対応体１０２、１０４の中に設置するか、又は直接対応体１０２、１０４と結合させる。この技術では各対応体１０２、１０４に一本の配線しか取付けないというわけではなく、中の配線の本数は回路装置の設計及び電子装置のニーズに応じて決めることができる。また、各配線１２０の表面はポリテトラフルオロエチレン（ＰＴＦＥ）、ポリウレタン若しくは被覆されたカーボンファイバーや光ファイバー等その他適当な絶縁素材で絶縁素材で被覆することができる。
【００１２】
本考案の各実施例において、各ストッパー部１１０、１１２の中にそれぞれ配線１２０と導通するコネクター１２４を取付ける。前記コネクター１２４は外部配線１２２をターミナル１２６により対応体１０２、１０４の中の配線１２０と接続するようにする。前記外部配線１２２はそれぞれ電源、充電器、パーソナル電子装置、マイク、ヘッドホン装置若しくはイヤホン等の設備に接続することができる。前記配線１２０のエンドポイントは伸ばしてストッパー部１１０、１１２を貫通するか若しくはストッパー部１１０、１１２の中に形成することにより、ターミナル１２６を挿入取付けしたプラグ１２８を外部配線１２２と接続することもできる。
【００１３】
図２と図３で示しているのは本考案の二種類の異なった最終実施例である。図２a、２b、２cで示しているのは前述の導電可能な閉鎖装置１００を含む衣服２００であり、前記衣服はジャケットかセーター等の異なった型も可である。図２bで示すように、前記衣服２００の背部又はその他の適当な箇所にソーラーボード２０２を取付けると、前記ソーラーボード２０２は太陽光をエネルギーに転換できる。二本の配線２０４、２０６はそれぞれソーラーボード２０２と導電可能な閉鎖装置１００に接続する。携帯型の電子装置２０８は配線２１０、２１２により導電可能な閉鎖装置１００の底部と繋がる。このようにして、前記ソーラーボード２０２から発生するエネルギーは本考案が提供する導電可能な閉鎖装置１００によって前記電子装置２０８へと伝導される。
【００１４】
図２cで示しているのは本考案の別途実施例である。前記衣服２００にディスプレー２０３を取付けるが、前記ディスプレー２０３は可撓性ＬＥＤ又はその他の型のフォトン表示装置でもよく、また前記ディスプレー２０３は衣服２００の背部若しくはその他の適当な箇所に取付ける。二本の配線２０４、２０６はディスプレー２０３から伸ばして閉鎖装置１００の頂端に電気接続する。携帯型電源（図示せず）は配線２１０、２１２により導電可能な閉鎖装置１００の底部と繋がる。このようにして、前記携帯型電源が提供する電気エネルギーは本考案が提供する導電可能な閉鎖装置１００により前記ディスプレー２０３へ伝導される。
【００１５】
図３で示しているのは前述の導電可能な閉鎖装置１００を含むデイパック３００であり、前記デイパックはスポーツタイプでも一般タイプ等の異なった型でもよい。前記デイパック３００にソーラーボード３０２を取付けて太陽光をエネルギーに転換する。二本の配線３０４、３０６はそれぞれソーラーボード３０２と導電可能な閉鎖装置１００に接続する。携帯型の電子装置３０８は配線３１０，３１２により導電可能な閉鎖装置１００の底部と繋がる。このようにして、前記ソーラーボード３０２から発生するエネルギーは本考案が提供する導電可能な閉鎖装置１００によって前記電子装置３０８へと伝導される。前述のディスプレー２０３に類似した表示装置は導電可能な閉鎖装置１００により前記ソーラーボード３０２に接続する。
【００１６】
図４で示しているのは前述の導電可能な閉鎖装置１００を含む衣服の別途実施例であり、前記衣服４００はジャケット又はセーター等の異なった型でもよい。携帯型の電子装置４０２は配線４０４、４０６により前記導電可能な閉鎖装置１００と接続する。ヘッドホン４０８の様なスピーカーは配線４１０、４１２により前記導電可能な閉鎖装置１００と接続し、こうして本考案が提供する導電可能な閉鎖装置１００は電子装置４０２が提供する信号をスピーカーへ伝送することができる。
【００１７】
上記実施例の開示は本考案の説明のためのものであり、本考案を限定するものではない。故に、総じて数値の変更若しくは等価部品の置換は本考案の範疇に属するものとする。
【００１８】
上記詳細説明は当業者に本考案が前述の目的を確実に達成することを明確にすると共に、同類の製造工程若しくは製品において類似発表がなく、また特許法の規定にも合致して法に従って出願しており、貴特許庁に本考案出願案件の審査の上許可を賜りたく願う次第である。
【図面の簡単な説明】
【００１９】
【図１】本考案の正面平面図である。
【図２ａ】本考案の第一実施例の概略図である。
【図２ｂ】本考案の第二実施例の概略図である。
【図２ｃ】本考案の第三実施例の概略図である。
【図３】本考案の第二実施例の概略図である。
【図４】本考案の第三実施例の概略図である。
【符号の説明】
【００２０】
１００  導電可能な閉鎖装置
１０２、１０４  対応体
１０６  噛合せ装置
１０８  スライド
１１０、１１２  ストッパー部
１２０  配線
１２２  外部配線
１２４  コネクター
１２６  ターミナル
１２９  プラグ
２００  衣服  
２０２  ソーラーボード
２０４、２０６、２１０、２１２  配線
２０８  電子装置
２０３  ディスプレー
３００  デイパック
３０２  ソーラーボード
３０４、３０６、３１０、３１２  配線
３０８  電子装置
４００  衣服
４０２  電子装置
４０８  ヘッドホン
４０４、４０６、４１０、４１２  配線
【図１】
0003135240.tif 000003
【図２ａ】
0003135240.tif 000004
【図２ｂ】
0003135240.tif 000005
【図２ｃ】
0003135240.tif 000006
【図３】
0003135240.tif 000007
【図４】
0003135240.tif 000008